(57)【要約】【課題】    コンクリート型枠の組み立てに必要な幅止と固定に関するセパレータを、セパレータ連結金具で二本のセパレータを一本にして所望の長さに接続することが困難である。【解決手段】前記セパレータを接続することに困難であるセパレータ連結金具に二本のセパレータを一つ一つに分けて、基本セパレータと、調整セパレータにして、セパレータ連結金具にセパレータを差し込む穴も、2箇所にして、最初に基本セパレータ1本だけを、セパレータ連結金具に差し込んで螺合して固定し、次に二本目の調整セパレータを、セパレータ連結金具に挿し通して、この調整セパレータ一本だけをスライドして所望の長さを正確に短時間で接続することができる。【選択図】図１８
2010095852.tif 000002
【特許請求の範囲】
【請求項１】
基本セパレータと調整セパレータとの二本のセパレータを接続して所望の長さのセパレータにするセパレータ連結金具において、連結金具本体に、前記基本セパレータの端部に形成された雄ネジと螺合して基本セパレータを一定の位置で締め付け固定する雌ネジ孔と、前記調整セパレータが貫通する貫通孔とを形成し、前記貫通孔内で貫通孔と交差する方向に進退自在に設けられた締付部材と、該締付部材を進退させる移動部材とを前記連結金具本体に設け、該締付部材に前記調整セパレータが挿通自在な挿通部と該挿通部から形成された斜面部とを形成し、前記調整セパレータを前記貫通孔と挿通部の重なり部分に挿通して前記移動部材が締付部材を前記貫通孔と交差する方向に移動したとき、前記斜面部が前記調整セパレータに圧接して調整セパレータの軸方向の移動を固定可能としたことを特徴とするセパレータ連結金具。
【請求項２】
前記締付部材の挿通部が、前記調整セパレータを挿通可能な貫通孔で、該貫通孔が調整部とを有し、前記斜面部が大径部と小径部との間に形成されたことを特徴とする請求項１記載のセパレータ連結金具。
【請求項３】
前記基本セパレータの端部に形成された雄ネジと螺合して基本セパレータを一定の位置で締付固定する連結金具に形成した雌ネジ貫通孔の両側坑口を、雌ネジ孔よりも大きい無ネジの大径空洞に形成して、基本セパレータを連結金具の雌ネジに挿通し螺合して固定したときに、基本セパレータの雄ネジとネックが、
挿通孔の坑口から無ネジの空洞穴の奥で固定されて、基本セパレータの軸元は、無ネジの空洞孔で保護されてセパレータ軸本体だけが外に出るために、連結金具に、基本セパレータと調整セパレータを挿通して固定し、両方から引っ張った時に連結金具が、その力の方向に捩れて傾いても、セパレータのネジ元付近で切断を防ぐことにした無ネジの空洞を特徴とする請求項１又は２記載のセパレータ連結金具。
【発明の詳細な説明】
【技術分野】
【０００１】
本願発明は、コンクリートの型枠を支持するセパレータに関し、特に、セパレータ同士を接続するために使用するセパレータ連結金具に関する。
【背景技術】
【０００２】
コンクリート構造物を構築する場合、型枠によって、コンクリート壁の幅、高さ、長さ等が決められる。型枠は、打設されるコンクリートを直接支えるせき板と、せき板を外側から支える支保工から構成されている。せき板としては合板や鋼板材で、中に補強桟木を入れて回り四方を囲んだ木製パネルや鋼製パネルが利用されている。支保工としては角材、パイプ、型鋼が用いられている。
さらに、コンクリート打節部分を挟んで向かい合って配設されるせき板相互の間隔を保つため、セパレータがせき板間に配設される。このせき板の間隔が、コンクリート壁の厚さとなるので、セパレータを壁の厚さと一致した長さにする必要がある。
【０００３】
コンクリート壁の厚さも一定でなく、断面状態が台形をした壁の場合などには、セパレータの長さ地上からの高さに応じて階段状に変化するので、多様な長さのものが必要となる。これに対し、セパレータの長さはそれほど多様ではないので、二本のセパレータを幅間で接続することで、所望の長さのセパレータとしている。
【０００４】
図１７は従来のセパレータ連結金具の一例を示す図で、連結金具１０１の上に空洞の筒１０２が本体１０１と一体型になり、本体１０１の底の中央から空洞１０２の中を移動部材１１１が貫通して、筒１０２の上に座金１２１を移動部材に通して六角形ナット１３１を移動部材の雄ネジ１１２に捻じ込んで六角形ナットを回して締付部材１１３の両側にある調整セパレータ５６二本を締め込んで固定してある。
【０００５】
図１７も図１９も従来の連結金具で同じであるが、連結金具１０１に、接続する二本のセパレータを突き通す貫通孔１０３は一つであり、其の孔の中心に締付部材１１３がいて、１１３の両側に二本のセパレータをセパレータの片端に
ピーコン６０を捻じ込んで其の反対側を互い違いに向きを変えて一つの締付部材の孔１０３に突き通して二本共に両端をあわせて所望の長さに測って六角形ナット１３１を回して締付部材１１３の両側に固定してある突起１１７で二本のセパレータを一気に固定するので、双方のセパレータ共が調整セパレータ５６になってある。セパレータ５６とは、調整セパレータのことを意味している。
【０００６】
図１９は従来のセパレータ連結金具であり、セパレータ連結施工方法の実施例の図である。Ｌの長さの寸法は、Ｌ１＋Ｌ２＝Ｌである。ピーコン６１接触面から他端のピーコン６１接触面までの距離の全長をＬにして所望の長さに読んである。図に表しているセパレータ５６の符号は、調整セパレータ側を意味してある。
【０００７】
実施例、例えば３０００ｍｍのセパレータを２本合わせて従来のセパレータ連結金具で５０００ｍｍのセパレータに接続して作るとした場合は、一人の場合は早くても一本接続する時間が数十分は掛かる。又は、場所に応じて一人で接続することが困難の場合がある。長いセパレータは、一人でセパレータの両端部を測ってスライドして所望の長さを決めることがなかなか難しいことである。
【特許文献１】特開２００７―２５５１６３号公報
【発明の開示】
【発明が解決しようとする課題】
【０００８】
しかしながら、二本のセパレータ５０を調整側セパレータの５６にして一つの締付部材１０３で同時に締め付け固定する場合、セパレータ５６が締め付け作業中に動き易く、所望の長さを保持するのが非常に困難である。
【０００９】
本願発明は、このような実情から考えられたもので、二本のセパレータを接続するセパレータ連結金具であって、所望の長さを確実に保持できるものを提供することを目的としている。
【課題を解決するための手段】
【００１０】
上記の目的を達成するために本願のセパレータ連結金具は、基本セパレータと調整セパレータとの二本のセパレータを接続して所望の長さのセパレータにするセパレータ連結金具において、連結金具本体に、前記基本セパレータの端部に形成された雄ネジと螺合して基本セパレータを一定の位置で締付固定する雌ネジ貫通孔と、前記調整セパレータが貫通する貫通孔とを形成し、前記貫通孔
内で貫通孔と交差する方向に進退自在に設けられた締め付け部材と、該締付部材を進退させる移動部材とを前記連結金具本体に設け、該締付部材に前記調整セパレータが挿通自在な挿通部と該挿通部から形成された斜面部とを形成し、前記調整セパレータを前記貫通孔と挿通部の重なり部分に挿通して前記移動部材が締付部材を前記貫通孔と交差する方向に移動したとき、前記斜面部が前記調整セパレータに圧接して調整セパレータの軸方向の移動を固定可能とした事を特徴としている。
【００１１】
前記締め付け部材の挿通部が、前記調整セパレータを挿通可能な挿通孔で、該挿通孔が調整セパレータを挿通可能な大径部と、該大径部に連続し調整セパレータの径より小さい小径部とを有し、前記斜面部が大径部と小径部との間に形成された構成とすることができる。
【発明の効果】
【００１２】
本願発明は、セパレータ連結金具の雌ネジの貫通孔に基本セパレータを螺合し、締付固定することで、基本セパレータの長さを確定する。次に、セパレータ連結金具の大小径貫通孔に調整セパレータを挿し通し、基本セパレータと調整セパレータとの長さの和が所定の長さになるように調整セパレータの長さを調整する。調整セパレータの長さが決まったら、移動部材で締付部材を移動して調整セパレータを固定する。締付部材は、調整セパレータを一本だけ固定するので、所定の長さを保持した状態で固定することができる。
【００１３】
締付部材に貫通孔を穿設し、この貫通孔に大径部と小径部を形成し、両者の間に斜面部を形成することによって、調整セパレータは、両側から斜面部で圧接され、所定の長さを保持した状態でしっかりと固定され、セパレータの長さを安定させることができる。
【００１４】
連結金具に基本セパレータを挿通する雌ネジの貫通孔の坑口両側を雌ネジ孔より大きい大径の無ネジの空洞に形成して、基本セパレータを雌ネジに螺合して固定すると、基本セパレータのネジ部とネック部は、無ネジの空洞の奥に固定されて、孔の坑口より外に出るのは基本セパレータのネジの無い軸部の大きい部分であるから、連結金具で、基本セパレータと調整セパレータを接続して両端を引っ張った時に連結金具が、其の力の方向に捩れて傾いても、ネジ部とネック部は空洞の奥に固定されているから、セパレータが切断されることなく安定した型枠の組み立て作業が出来ることを特徴としている。
【発明を実施するための最良の形態】
【００１５】
本願発明のセパレータ連結金具は、基本セパレータと調整セパレータとの二本を一本にして所望の長さに接続するために、作業場所を選ぶことなく、又は、接続するセパレータの長さにも関係なく速やかに、一人で本願発明のセパレータ連結金具で、接続する二本のセパレータを一本にして所望の長さに確実に測り正確の長さに短時間で接続することを可能にしている。
【実施例】
【００１６】
以下、本願発明の実施の形態を添付図面を参照して説明する。
図1は、本願発明のセパレータ連結金具１に基本セパレータ５５に形成された雄ネジ５１を螺合して固定し、調整セパレータ５６を連結金具の大径小径孔に形成した貫通孔７に指通して、六角形ナット３０を回して移動部材軸１１を進退自在に移動して、締付部材１３を移動させて斜面部１９の固定刃突起１７と穿孔突起８の両側で調整セパレータ５６の軸方向の移動を完全に止めて固定する。
【００１７】
図２は、図１を左から見たところの断面図であり、連結金具本体に基本セパレータ５５を螺合して固定し、調整セパレータ５６を挿通してあるが、固定する前の図である。
【００１８】
図３は、図２と同じ内容の断面図であるが、六角ナット３０を回転して雌ネジ山３１で移動部材軸１１の雄ネジ山１２を進退に移動して締付固定部材１３を移動し、斜面部１９が移動して固定刃突起１７と穿孔突起８で調整セパレータ５６が固定されるところの断面図である。連結金具の中の貫通空洞は、移動部材軸の雄ネジ山より大きい大径の無ネジ筒状穴になっているために座金２０の穴２１で、筒状側２と六角ナット３０の間を調整する。
【００１９】
図4は、連結金具ブロック１の断面図であり、基本セパレータを指通する雌ネジ貫通孔６と調整セパレータの大小径貫通孔７と移動部材軸１１と固定部材１３を進退移動する大径の貫通空洞状孔１０の内部の構成と孔と孔との間隔を示す断面図である。
【００２０】
図５は、連結金具本体に基本セパレータ５５を螺合して固定し、基本セパレータの芯から連結金具本体を横水平に切断したところの切断面図である。
１は、連結金具本体、３は、移動部材軸１１を挿通する貫通孔、４は、進退移動締付部材を通す内壁面、５は、基本セパレータを指通する雌ネジ貫通孔の両側坑口の深さ７ｍｍの大径の無ネジ孔、９は、基本セパレータを刺通して螺合して固定する雌ネジ孔と大径孔の貫通孔、１３は、締め付け部材、１４は、背当突起、５１は、基本セパレータの雄ネジ、５３は、基本セパレータのネック、
５５は、基本セパレータ軸である。
【００２１】
図６は、連結金具本体に調整セパレータ５６を挿通して締付部材１３の固定刃突起と穿孔突起８で締付固定されている調整セパレータの芯から連結金具本体
を横水平に切断したところの切断面図である。１は、連結金具本体、８は、穿孔突起、１３は、締付部材、１４は、背当突起、１７は、固定刃突起、５１は、調整セパレータの雄ネジ、５２は、雄ネジのストッパ山、５３は、セパレータのネック、５６は、調整セパレータ軸である。
【００２２】
図7は、連結金具本体を基本セパレータの雌ネジ孔の芯を横水平に切断したところの切断面図である。１は、連結金具本体、５は、無ネジの大径の孔、６は、基本セパレータを挿通して螺合する雌ネジ山、９は、大径孔と雌ネジ孔との貫通孔、１０は、移動部材を通す大径の貫通空洞孔である。
【００２３】
図８は、連結金具本体を調整セパレータの大小径の位置を芯から横水平に切断したところの切断面図である。１は、連結金具本体、３は、移動部材軸を通す貫通空洞孔、４は、進退移動付部材を通す背受け内壁面、7は、調整セパレータを通す大小径孔、８は、調整セパレータを通して動きを止めて固定するための穿孔突起、１０は、移動部材を通す大径の貫通空洞孔
【００２４】
図９は、移動部材軸と締付部材の一体型の断面図である。
１１は、移動部材軸、１２は、雄ネジ山、１３は、締付部材、１４は、背受け突起、１５は、軸止め、１６は、窪み、１７は、固定刃突起、１８は、移動部材軸と締付部材との軸の境、１９は、斜面部、Ｅ−Ｅは、位置を示している。
【００２５】
図１０は、締付部材のＥ−Ｅを切断したところの切断面図である。１３は、締付移動部材、１４は、背受け突起、１７は、固定刃突起である。
図１１は、六角ナット正面図である。３０は、六角ナット、３１は、雌ネジである。
図１２は、平座金の平面図である。２０は、平座金、２１は、穴である。
【００２６】
図１３は、セパレータの片端にピーコンと軸をセットして螺合して固定した側面図である。５０は、セパレータ軸、５１は、セパレータの雄ネジ、５２は、雄ネジのストッパ山、５３は、セパレータのネック、６０は、ピーコン、６１は、ピーコンの接触面、７０は、ピーコン軸、７３は、ピーコン軸の雄ネジである。
【００２７】
図１４は、ピーコンに軸をセットして、軸元から見た正面図である。６０は、ピーコン、７０は、ピーコンの軸元、７１は、軸の雌ネジ孔、７２は、軸
の雌ネジである。
図１５は、ピーコンと軸セットの断面図である。６０は、ピーコン、６１は、ピーコンの接触面、７０は、ピーコンの軸、７１は、軸の雌ネジ孔、７２は、軸の雌ネジ、７３は、軸の雄ネジである。
【００２８】
図１６は、本願発明の連結金具セットを左から見た正面図である。１は、本願発明の連結金具の本体ブロック、２は、筒状ブロック、５は、基本セパレータを挿通する大径の無ネジ孔、６は、基本セパレータを挿通して固定する雌ネジの貫通孔、７は、調整セパレータを挿通する大小径の貫通孔、９は、基本セパレータを挿通する大径の無ネジと小径の雌ネジの貫通孔、１１は、移動部材軸、１３は、締付部材、１７は、固定刃突起、２０は、平座金、３０は、六角ナットである。
【００２９】
図１７は、従来の連結金具の正面図である。５６は、調整セパレータ、１０１は、従来の連結金具の本体ブロック、１０２は、筒状ブロック、１１１は、移動部材軸、１１３は、締付部材、１１７は、締付部材の突起、１２１は、平座金、１３１は、六角ナットである。
【００３０】
図１８は、本願発明のセパレータ連結金具でのセパレータの接続施工方法の実施例の詳細図である。
１は、本願発明のセパレータ連結金具、１３は、締付部材、５５は、基本セパレータ、５６は、調整セパレータ、６０は、ピーコン、６１は、ピーコンの接触面である。
Ｌ１は、セパレータの接続段階で第1段階の基本セパレータの接続固定の長さである。
第2段階で調整セパレータをＬ２の長さだけを調整して所望Ｌの全長の寸法に一致したところで締付部材１３を移動して固定するだけである。
【００３１】
図１９は、従来のセパレータ連結金具でのセパレータの接続施工方法の実施例の詳細図である。
５６は、調整セパレータ、６０は、ピーコン、６１は、ピーコンの接触面、
１０１は、従来のセパレータ連結金具、１１３は、締付部材である。
Ｌは、全長の寸法である。従来のセパレータ連結金具で、二本のセパレータを一本にして所望Lの長さに接続するには、図１９に記載されてある様に、連結金具１０１に二本のセパレータを互い違いに向きを変えて挿通して両側のピー
コン６０の接触面６１から接触面６１に目盛尺を当てて長さの目盛を見ながら締付部材を移動して二本同時に締付固定をするのであるから、この場合、距離が短いものである場合は、一人でも接続することが出来るが、距離が長ければ一人で接続することが出来ない。本願発明のセパレータ連結金具は、距離が長くても調整セパレータ一本だけをスライドで長さの調整をするのであるから、一人でも十分に正確に接続することが可能である。
【００３２】
図２０は、本願発明の連結金具を使用して、型枠を組み立てて、型枠の外部のパイプ締付固定をしたところの実施例の詳細図である。
１は、本願発明の連結金具、１１は、移動部材軸、３０は、六角ナット、５５は、基本セパレータ、５６は、調整セパレータ、６０は、ピーコン、６１は、ピーコンの接触面、２００は、せき板、２１０は、角材、２２０は、パイプ、２３０は、フォームタイ、２５０は、雄ネジ、２６０は、締付座金、２７０は、六角ナット、イは、基本枠、ロは、返し枠である。
【産業上の利用可能性】
【００３３】
図１６は、本願発明の連結金具の正面図であり、基本セパレータと調整セパレータの挿通口が別々に設けて形成されてある。
【００３４】
図１８は、本願発明の連結金具でセパレータを接続する法方の実施例であり、Ｌ１が基本セパレータの長さであって、Ｌ２が調整セパレータの長さである。
【００３５】
本願発明のセパレータ連結金具でセパレータを連結する場合、所望の長さは、Ｌ１＋Ｌ２＝所望のＬの寸法であり、Ｌの寸法を一人で短時間で発明のセパレータ連結金具で接続することを可能にしてある。
【図面の簡単な説明】
【００３６】
【図１】本願発明のセパレータ連結金具に基本セパレータを捻じ込んで固定し、調整セパレータを連結金具に貫通して長さの調整をするところの実施例の側面図である。
【図２】図１を左から見て調整セパレータ５６の締付固定をする前の断面図である。
【図３】図２の調整セパレータ５６が、締付部材１３の突起１７で締付行程に掛かっているところを左から見たところの断面図である。
【図４】連結金具本体の中を左から見て基本セパレータの雌ネジの貫通孔と調整セパレータの大径小径の貫通孔と進退移動締付部材を通す大径の貫通孔の配置と構造を示すところを左から見た断面図である。
【図５】連結金具本体に基本セパレータを螺合して収めてあるネジ関係と無ネジの大径穴と進退移動締付部材の位置を示す詳細を示したところの連結金具の切断面図である。
【図６】連結金具本体に調整セパレータを挿通して貫通し、締付部材で調整セパレータを締付固定しているところを示す詳細部分の連結金具の切断面図である。
【図７】連結金具本体を基本セパレータの真ん中の位置を左から右に貫通孔の内部の詳細を示すための切断面図である。
【図８】連結金具本体を調整セパレータの真ん中の位置を左から右に貫通孔の内部の詳細を示すための切断面図である。
【図９】進退移動部材と締付部材の一体型を左から見たところの断面図である。
【図１０】図９のE−Eを切断して背の突起と締付部固定刃突起の形を見せたところの締付部材の切断面図である。
【図１１】締め付け六角ナットの正面図である。
【図１２】平座金の正面図である。
【図１３】セパレータの片端にピーコンを捻じ込んでセットしたところの側面図である。
【図１４】ピーコンと軸セットを軸元から見たところの正面図である。
【図１５】ピーコンと軸セットの断面図である。
【図１６】本願発明のセパレータ連結金具セットを左から見た正面図である。
【図１７】従来のセパレータ連結金具セットを左から見た正面図である。
【図１８】本願発明のセパレータ連結金具でセパレータの連結施工方法の実施例図である。
【図１９】従来の技術のセパレータ連結金具でセパレータ連結施工方法の実施例図である。
【図２０】本願発明のセパレータ連結金具を使用して型枠の組み立てをして、セパレータを連結して固定したところの内部と外部全体の詳細図である。
【符号の説明】
【００３７】
１    本願発明の連結金具の本体
２    本体の筒の側
３    筒の貫通空洞の内周面
４    進退移動締付部材を通す内壁面
５    基本セパレータを挿通する坑口の大口径の無ネジ穴
６    基本セパレータを挿通する雌ネジの貫通孔
７    調整セパレータを挿通する大小径の貫通孔
８    調整セパレータを固定する穿孔突起
９    基本セパレータを挿通する雌ネジ孔と大径孔の貫通孔
１０    移動部材を通す大径の貫通空洞孔
１１    移動部材軸
１２    雄ネジ
１３    締付部材
１４    背当突起
１５    軸止め
１６    窪み
１７    固定刃突起
１８    軸の境
１９    斜面部
２０    座金
２１    座金の穴
３０    六角ナット
３１    雌ネジ孔
５０    セパレータ軸
５１    セパレータの雄ネジ
５２    セパレータ雄ネジのストッパ山
５３    セパレータのネック
５５    基準セパレータ軸
５６    調整セパレータ軸
６０    ピーコン
６１    ピーコンの接触面
７０    ピーコン軸元
７１    ピーコン軸の雌ネジ穴
７２    ピーコン軸の雌ネジ
７３    ピーコン軸の雄ネジ
Ａは、図１に対して左
Ｂは、図１に対して右
Ｃは、図１に対して前
Ｄは、図１に対して後、又は、背
Ｅは、図９に対しての位置
１０１    従来の連結金具の本体
１０２    従来の本体の筒の側
１１１    従来の移動部材軸
１１３    従来の締付部材
１１７    従来の締付部材の突起
１２１    従来の座金
１３１    従来の六角ナット
２００    せき板
２１０    角材
２２０    締付パイプ
２３０    フォームタイ軸
２５０    フォームタイ軸の雄ネジ
２６０    締付座金
２７０    締付ナット
イ        基本せき板の内面
ロ        返しせき板の内面
【図１】
2010095852.tif 000003
【図２】
2010095852.tif 000004
【図３】
2010095852.tif 000005
【図４】
2010095852.tif 000006
【図５】
2010095852.tif 000007
【図６】
2010095852.tif 000008
【図７】
2010095852.tif 000009
【図８】
2010095852.tif 000010
【図９】
2010095852.tif 000011
【図１０】
2010095852.tif 000012
【図１１】
2010095852.tif 000013
【図１２】
2010095852.tif 000014
【図１３】
2010095852.tif 000015
【図１４】
2010095852.tif 000016
【図１５】
2010095852.tif 000017
【図１６】
2010095852.tif 000018
【図１７】
2010095852.tif 000019
【図１８】
2010095852.tif 000020
【図１９】
2010095852.tif 000021
【図２０】
2010095852.tif 000022
【手続補正書】
【提出日】平成21年3月26日(2009.3.26)
【手続補正１】
【補正対象書類名】特許請求の範囲
【補正対象項目名】全文
【補正方法】変更
【補正の内容】
【特許請求の範囲】
【請求項１】
基本セパレータと調整セパレータとの二本のセパレータを接続して所望の長さのセパレータにするセパレータ連結金具において、連結金具本体に、前記基本セパレータの端部に形成された雄ネジが雌ネジに螺合して基本セパレータを一定の位置で締め付けて固定する雌ネジ孔と、前記調整セパレータが貫通する
大径〜小径の貫通孔とを形成し、前記貫通孔内で貫通孔と交差する方向に進退自在に設けられた締付部材と、該締付部材を進退させる移動部材とを前記連結金具本体に設け、該締付部材に前記調整セパレータが挿通自在な挿通部と該挿通部に連続した斜面部とを形成し、前記調整セパレータを前記貫通孔と挿通部窪み１６の重なり部分に挿通して前記移動部材が締付部材を前記貫通孔と交差する方向に移動したとき、前記斜面部が前記調整セパレータに圧接して調整セパレータの軸方向の移動を固定可能としたことを特徴とするセパレータ連結金具。
【請求項２】
前記締付部の挿通部大径〜小径の孔が、前記調整セパレータを挿通可能な貫通孔で、該貫通孔窪み１６が斜面部を有し、前記斜面部が大径部〜小径部との間に形成されたことを特徴とする請求項１記載のセパレータ連結金具。
【請求項３】
前記基本セパレータの端部に形成された雄ネジと螺合して基本セパレータを一
定の位置で締付固定する連結金具に形成した雌ネジ貫通孔の両側孔口を、雌ネジ孔よりも大きい無ネジの大径空洞に形成して、基本セパレータを連結金具雌ネジに挿通し螺合して固定したときに、基本セパレータの雄ネジが、挿通孔の孔口から無ネジの空洞穴の奥で固定されて、前記雄ネジとネック部を備えた基本セパレータのネック部が、無ネジの空洞孔内に位置し、前記ネック部が保護されることを特徴とする請求項2記載のセパレータ連結金具。
【手続補正２】
【補正対象書類名】明細書
【補正対象項目名】００１１
【補正方法】変更
【補正の内容】
【００１１】
前記締め付け部材の挿通部が、前記調整セパレータを挿通可能な挿通孔で、該挿通孔が調整セパレータを挿通可能な大径部と、該大径部に連続し調整セパレータの径より小さい小径部とを有し、前記斜面部が大径部〜小径部との間に形成された構成とすることができる。
【手続補正３】
【補正対象書類名】明細書
【補正対象項目名】００１３
【補正方法】変更
【補正の内容】
【００１３】
締付部材に貫通孔を穿設し、この貫通孔に大径部〜小径部を形成し、両者の間に斜面部を形成することによって、調整セパレータは、両側から斜面部で圧倒され、所定の長さを保持した状態でしっかりと固定され、セパレータの長さを安定させることができる。
【手続補正４】
【補正対象書類名】明細書
【補正対象項目名】００１４
【補正方法】変更
【補正の内容】
【００１４】
連結金具に基本セパレータを挿通する雌ネジの貫通孔の孔口両側を雌ネジ孔より大きい大径の無ネジの空洞に形成して、基本セパレータを雌ネジに螺合して固定すると、基本セパレータのネジ部とネック部は、無ネジの空洞の奥に固定されて、孔の孔口より外にでるのは基本セパレータのネジの無い軸部の大きい部分であるから、連結金具で、基本セパレータと調整セパレータを接続して両端を引張った時に連続金具が、其の力の方向に捩れて傾いても、ネジ部とネック部は空洞の奥に固定されて保護されるから、セパレータが切断されることなく安定した型枠の組立作業ができることを特徴としている。
【手続補正５】
【補正対象書類名】明細書
【補正対象項目名】００１９
【補正方法】変更
【補正の内容】
【００１９】
図４は、連結金具ブロック１の断面図であり、基本セパレータを指通する雌ネジ貫通孔６と調整セパレータの大径〜小径の貫通孔７と移動部材軸１１と固定部材１３を進退移動する大径の貫通空洞状孔１０の内部の構成と孔と孔との間隔を示す断面図である。
【手続補正６】
【補正対象書類名】明細書
【補正対象項目名】００２３
【補正方法】変更
【補正の内容】
【００２３】
図８は、連結金具本体を調整セパレータの大径〜小径の位置を芯から横水平に切断したところの切断面図である。１は、連結金具本体、３は、移動部材軸を通す貫通空洞孔、４は、進退移動部材を通す背受け内壁面、７は、調整セパレータを通す大径〜小径孔、８は、調整セパレータを通して動きを止めて固定するための穿孔突起、１０は、移動部材を通す大径の貫通空洞孔である。
【手続補正書】
【提出日】平成21年7月13日(2009.7.13)
【手続補正１】
【補正対象書類名】特許請求の範囲
【補正対象項目名】全文
【補正方法】変更
【補正の内容】
【特許請求の範囲】
【請求項１】
基本セパレータ５５と調整セパレータ５６との二本のセパレータを接続して所望の長さのセパレータにするセパレータ連結金具１において、
セパレータ連結金具１本体に、前記基本セパレータ５５の端部に形成されたセパレータの雄ネジ５１が螺合され、
基本セパレータ５５を一定の位置で締め付けて固定する基本セパレータ５５を挿通する雌ネジの貫通孔６と、前記調整セパレータ５６を挿通する大径部と、該大径部に連続した小径部からなる貫通孔７とを形成し、
前記貫通孔７内で貫通孔７と交差する方向に進退自在に設けられた締付部材１３と、該締付部材１３を進退させる移動部材３０とを前記連結金具１本体に設けて、
該締付部材１３に窪み１６と窪み１６に連続した斜面部１９とを形成し、前記移動部材３０により前記締付部材１３を移動し、
前記斜面部１９が前記調整セパレータ５６に圧接して調整セパレータ５６の軸方向の移動を固定可能としたことを特徴とするセパレータ連結金具１であり、
前記基本セパレータ５５の端部に形成された雄ネジ５１と雌ネジの貫通孔６とを螺合して基本セパレータを一定の位置で締付固定する雌ネジの貫通孔６を、連結金具１の貫通孔９の中央部分に構成し、その雌ネジの貫通孔６の両側から孔口までを、雌ネジの貫通孔６の径よりも大きい無ネジの大口径の無ネジ穴５に形成して、基本セパレータ５５をセパレータ連結金具１の雌ネジ孔６に螺合して固定したときに、基本セパレータ５５の雄ネジ５１が、貫通孔９の大口径の無ネジ穴５の奥で雌ネジの貫通孔６に螺合して固定され、前記基本セパレータの雄ネジ５１とネック部５３を備えた基本セパレータ５５のネック５３が、大口径の無ネジ穴５の奥に位置し、前記基本セパレータ５５のネック５３が大口径の無ネジ穴５で保護されることを特徴とするセパレータ連結金具。
【手続補正２】
【補正対象書類名】明細書
【補正対象項目名】００１０
【補正方法】変更
【補正の内容】
【００１０】
本出願に係る発明は、以下の「特許請求の範囲」の「請求項１」に記載した事項により特定される。
［特許請求の範囲］
［請求項１］
基本セパレータ５５と調整セパレータ５６との二本のセパレータを接続して所望の長さのセパレータにするセパレータ連結金具１において、
セパレータ連結金具１本体に、前記基本セパレータ５５の端部に形成されたセパレータの雄ネジ５１が螺合され、
基本セパレータ５５を一定の位置で締め付けて固定する基本セパレータ５５を挿通する雌ネジの貫通孔６と、前記調整セパレータ５６を挿通する大径部と、該大径部に連続した小径部からなる貫通孔７とを形成し、
前記貫通孔７内で貫通孔７と交差する方向に進退自在に設けられた締付部材１３と、該締付部材１３を進退させる移動部材３０とを前記連結金具１本体に設けて、
該締付部材１３に窪み１６と窪み１６に連続した斜面部１９とを形成し、前記移動部材３０により前記締付部材１３を移動し、
前記斜面部１９が前記調整セパレータ５６に圧接して調整セパレータ５６の軸方向の移動を固定可能としたことを特徴とするセパレータ連結金具１であり、
前記基本セパレータ５５の端部に形成された雄ネジ５１と雌ネジの貫通孔６とを螺合して基本セパレータを一定の位置で締付固定する雌ネジの貫通孔６を、連結金具１の貫通孔９の中央部分に構成し、その雌ネジの貫通孔６の両側から孔口までを、雌ネジの貫通孔６の径よりも大きい無ネジの大口径の無ネジ穴５に形成して、基本セパレータ５５をセパレータ連結金具１の雌ネジ孔６に螺合して固定したときに、基本セパレータ５５の雄ネジ５１が、貫通孔９の大口径の無ネジ穴５の奥で雌ネジの貫通孔６に螺合して固定され、前記基本セパレータの雄ネジ５１とネック部５３を備えた基本セパレータ５５のネック５３が、大口径の無ネジ穴５の奥に位置し、前記基本セパレータ５５のネック５３が大口径の無ネジ穴５で保護されることを特徴とするセパレータ連結金具。
【手続補正３】
【補正対象書類名】明細書
【補正対象項目名】００１１
【補正方法】変更
【補正の内容】
【００１１】
前記締め付け部材の挿通部が、前記調整セパレータを挿通可能な挿通孔で、該挿通孔が調整セパレータを挿通可能な大径部と、該大径部に連続し調整セパレータの径より小さい小径部とを有し、前記斜面部が大径部と小径部との間に形成された貫通孔に構成とすることができる。
【手続補正４】
【補正対象書類名】明細書
【補正対象項目名】００１４
【補正方法】変更
【補正の内容】
【００１４】
連結金具に基本セパレータを挿通する雌ネジの貫通孔の孔口両側を雌ネジ孔より大きい大径の無ネジの空洞に形成して、基本セパレータを雌ネジに螺合して固定すると、基本セパレータのネジ部とネック部は、無ネジの空洞の奥に固定されて、孔の孔口より外にでるのは基本セパレータのネジの無い軸部の大きい部分であるから、連結金具で、基本セパレータと調整セパレータを接続して両端を引張った時に連続金具が、其の力の方向に捩れて傾いても、ネジ部とネック部は空洞の奥に固定されて保護されるから、セパレータが切断されることなく安定した型枠の組立作業ができることを特徴としている。
【手続補正５】
【補正対象書類名】明細書
【補正対象項目名】００３２
【補正方法】変更
【補正の内容】
【００３２】
図２０は、本願発明の連結金具を使用して、型枠を組み立てて、型枠の外部のパイプ締付固定をしたところの実施例の詳細図である。
１は、本願発明の連結金具。１１は、移動部材軸。３０は、六角ナット。５５は、基本セパレータ。５６は、調整セパレータ。６０は、ピーコン。６１は、ピーコンの接触面。２００は、堰板。２１０は、角材。２２０は、パイプ。２３０は、フォームタイ（登録商標、以下略す）。２５０は、雄ネジ。２６０は、締付座金。２７０は、六角ナット。イは、基本枠。ロは、返し型枠である。